(57)【要約】      （修正有）【課題】ターゲットデバイスの位置を決定するために、観測到着時間差（ＯＴＤＯＡ）測位のための方法及びユーザ機器を提供する。【解決手段】通信ネットワークにおいて、ユーザ機器は、第２ネットワークの複数の近隣セルから受信された測位参照信号（ＰＲＳ）の到着の時間差を測定するための第１ネットワークの支援データと、複数の近隣セルの第１近隣セルのマスター情報ブロック（ＭＩＢ）を復号するためのギャップパターン又は第１近隣セルのシステムフレーム番号（ＳＦＮ）オフセットをサービングセルから受信し、第１近隣セルのＳＦＮタイミングを決定し、ＰＲＳ測定機会に一致する測定ギャップでＰＲＳを測定し、取得するＰＲＳ到着の時間差の測定結果をサービングセルに送信する。【選択図】図４
2022002403.tif 000002
【特許請求の範囲】
【請求項１】
観測到着時間差（ＯＴＤＯＡ）測位のための方法であって、
第２ネットワークの複数の近隣セルから受信された測位参照信号（ＰＲＳ）の到着の時間差を測定するための支援データを第１ネットワークのサービングセルから受信する段階と、
前記サービングセルから、前記複数の近隣セルのうちの参照セルの前記サービングセルに対するシステムフレーム番号オフセット（ＳＦＮオフセット）を受信する段階と、
前記参照セルの前記ＳＦＮオフセットに基づいて、前記参照セルのＳＦＮタイミングを決定する段階と
を備える方法。
【請求項２】
前記支援データは、前記複数の近隣セルのセルアイデンティティ情報、および、前記複数の近隣セルのＰＲＳ構成情報を含む、請求項１に記載の方法。
【請求項３】
前記参照セルのマスター情報ブロック（ＭＩＢ）を復号するための測定ギャップについての復号要求を送信する段階であって、前記復号要求は、前記測定ギャップのタイミングを指定することなく、前記参照セルのアイデンティティを含む、段階をさらに備える、請求項１または２に記載の方法。
【請求項４】
ギャップパターンは、前記参照セルのＭＩＢ送信と一致する測定ギャップを含む、請求項３に記載の方法。
【請求項５】
ギャップパターンは、前記参照セルのＭＩＢ送信期間より長い長さを有する測定ギャップを含む、請求項３に記載の方法。
【請求項６】
前記参照セルの前記ＳＦＮタイミング、および前記支援データに基づいて、前記複数の近隣セルのうち１または複数についてのＰＲＳ測位機会のタイミングを決定する段階と、
前記ＰＲＳを測定するための一組の測定ギャップについての測定要求を送信する段階であって、前記測定要求は、前記複数の近隣セルのうち前記１または複数についての前記ＰＲＳ測位機会に一致する前記一組の測定ギャップのタイミングを含む、段階と
をさらに備える、請求項１に記載の方法。
【請求項７】
前記一組の測定ギャップ中に前記ＰＲＳを測定することによって取得される前記ＰＲＳの到着の前記時間差の測定結果を送信する段階をさらに備える、請求項６に記載の方法。
【請求項８】
観測到着時間差（ＯＴＤＯＡ）測位のための方法であって、
第１ネットワークのサービングセルによって、第２ネットワークの複数の近隣セルから受信された測位参照信号（ＰＲＳ）の到着の時間差をユーザ機器（ＵＥ）で測定するための支援データを前記ＵＥへ送信する段階と、
前記サービングセルによって、
前記複数の近隣セルのうちの参照セルのマスター情報ブロック（ＭＩＢ）を復号するための第１ギャップパターン、または、
前記参照セルの前記サービングセルに対するシステムフレーム番号オフセット（ＳＦＮオフセット）
を送信する段階と
を備える方法。
【請求項９】
前記サービングセルによって、前記参照セルの前記ＭＩＢを復号するための測定ギャップについての復号要求を受信する段階であって、前記復号要求は、前記測定ギャップのタイミングを指定することなく、前記参照セルのアイデンティティを含む、段階をさらに備える、請求項８に記載の方法。
【請求項１０】
前記第１ギャップパターンは、前記参照セルのＭＩＢ送信に一致する測定ギャップを含む、請求項８または９に記載の方法。
【請求項１１】
前記第１ギャップパターンは、前記参照セルのＭＩＢ送信期間より長い時間長を有する測定ギャップを含む、請求項８または９に記載の方法。
【請求項１２】
前記サービングセルによって、前記ＰＲＳを測定するための一組の測定ギャップについての測定要求を受信する段階であって、前記測定要求は、前記複数の近隣セルのうち１または複数についてのＰＲＳ測位機会に一致する前記一組の測定ギャップのタイミングを含む、段階と、
前記サービングセルによって、前記一組の測定ギャップについての前記測定要求を受信したことに応答して、要求された前記一組の測定ギャップを含む第２ギャップパターンを送信する段階と、
前記サービングセルによって、前記ＰＲＳの到着の前記時間差の測定結果を前記ＵＥから受信する段階と
をさらに含む、請求項８から１１のいずれか一項に記載の方法。
【請求項１３】
前記参照セルの前記ＳＦＮオフセットは、定義されたモジュロ１０２４である、請求項８から１２のいずれか一項に記載の方法。
【請求項１４】
ユーザ機器であって、
命令を含むメモリストレージと、
前記メモリストレージと通信する１または複数のプロセッサであって、前記１または複数のプロセッサは、前記命令を実行することにより、
第２ネットワークの複数の近隣セルから受信された測位参照信号（ＰＲＳ）の到着の時間差を測定するための支援データを第１ネットワークのサービングセルから受信すること、
前記サービングセルから、前記複数の近隣セルのうちの参照セルの前記サービングセルに対するシステムフレーム番号オフセット（ＳＦＮオフセット）を受信すること、および
前記参照セルの前記ＳＦＮオフセットに基づいて前記参照セルのＳＦＮタイミングを決定すること
を行う１または複数のプロセッサと
を備えるユーザ機器。
【請求項１５】
前記１または複数のプロセッサは、前記命令を実行することにより、
前記参照セルのマスター情報ブロック（ＭＩＢ）を復号するための測定ギャップについての復号要求を送信し、前記復号要求は、前記測定ギャップのタイミングを指定することなく、前記参照セルのアイデンティティを含む、
請求項１４に記載のユーザ機器。
【請求項１６】
ギャップパターンは、前記参照セルのＭＩＢ送信と一致する測定ギャップを含む、請求項１５に記載のユーザ機器。
【請求項１７】
ギャップパターンは、前記参照セルのＭＩＢ送信期間より長い時間長を有する測定ギャップを含む、請求項１５に記載のユーザ機器。
【請求項１８】
前記１または複数のプロセッサは、前記命令を実行することにより、
前記複数の近隣セルのうち１または複数についてのＰＲＳ測位機会のタイミングを、前記参照セルの前記ＳＦＮタイミングおよび前記支援データに基づいて決定すること、および、
前記ＰＲＳを測定するための一組の測定ギャップについての測定要求を送信することであって、前記測定要求は、前記複数の近隣セルのうち前記１または複数についての前記ＰＲＳ測位機会に一致する前記一組の測定ギャップのタイミングを含む、こと
を行う、請求項１４から１７のいずれか一項に記載のユーザ機器。
【請求項１９】
前記１または複数のプロセッサは、前記命令を実行することにより、
前記一組の測定ギャップ中に前記ＰＲＳを測定することによって取得された前記ＰＲＳの到着の前記時間差の測定結果を送信する、請求項１８に記載のユーザ機器。
【請求項２０】
前記第１ネットワークは、新無線（ＮＲ）ネットワークであり、前記第２ネットワークは、ロングタームエボリューション（ＬＴＥ）ネットワークである、請求項１４に記載のユーザ機器。
【請求項２１】
前記支援データは、前記参照セル以外の近隣セルの前記参照セルに対するシステムフレーム番号オフセット（ＳＦＮオフセット）を含む、請求項１から１３の何れか一項に記載の方法。
【発明の詳細な説明】
【背景技術】
【０００１】
本願は、２０１７年９月２９日に出願された、「無線通信ネットワークにおける観測到着時間差（ＯＴＤＯＡ）測位」と題する、参照によってその全体が複製されることと同様に本明細書に組み込まれる米国非仮特許出願第１５／７２１，０５１号に対する優先権を主張するものである。
【０００２】
無線通信ネットワークは、ユーザ機器の位置を決定するための様々な測位技法を採用し得る。例えば、観測到着時間差（ＯＴＤＯＡ）測位は、第３世代パートナーシッププロジェクト（３ＧＰＰ）によって策定されたロングタームエボリューション（ＬＴＥ）規格において指定されたダウンリンク測位技法である。ＯＴＤＯＡ測位は、ターゲットデバイスが近隣基地局から受信する測位参照信号（ＰＲＳ）の到着の時間差をターゲットデバイスが測定することに依存する。
【発明の概要】
【０００３】
本開示の一態様によれば、観測到着時間差（ＯＴＤＯＡ）測位の第１の方法が提供される。第１の方法は、第２ネットワークの複数の近隣セルから受信され得る測位参照信号（ＰＲＳ）の到着の時間差を測定するために、第１ネットワークの支援データのサービングセルから受信する段階を含み得る。第１の方法はさらに、複数の近隣セルの第１近隣セルのマスター情報ブロック（ＭＩＢ）を復号するためのギャップパターン、または、第１近隣セルのシステムフレーム番号（ＳＦＮ）オフセットをサービングセルから受信する段階と、第１近隣セルのＭＩＢを復号するためのギャップパターン、または、第１近隣セルのＳＦＮオフセットに基づいて、第１近隣セルのＳＦＮタイミングを決定する段階とを含み得る。一例において、支援データは、複数の近隣セルのセルアイデンティティ情報、複数の近隣セルのＰＲＳ構成情報、および、近隣セルまたは複数の近隣セルの１つである参照セルの間のオフセットを各々が示す複数の近隣セルのＳＦＮタイミング情報のうち少なくとも１つを含む。
【０００４】
任意選択で、第１の方法の実施形態は、第１近隣セルのＭＩＢを復号するための測定ギャップについての復号要求を送信する段階であって、復号要求は、測定ギャップのタイミングを指定することなく、第１近隣セルのアイデンティティを含む、段階をさらに備え得る。ギャップパターンは、第１近隣セルのＭＩＢ送信に一致する測定ギャップを含み得る。任意選択で、および、代替的に、前述の態様のいずれかにおいて、ギャップパターンは、第１近隣セルのＭＩＢ送信期間より長い時間長を有する測定ギャップを含み得る。
【０００５】
任意選択で、前述の態様のいずれかにおいて、第１の方法は、第１近隣セルのＳＦＮタイミングおよび支援データに基づいて、複数の近隣セルのうち１または複数についてのＰＲＳ測位機会のタイミングを決定する段階と、ＰＲＳを測定するための一組の測定ギャップについての測定要求を送信する段階であって、測定要求は、複数の近隣セルのうち１または複数についてのＰＲＳ測位機会に一致する一組の測定ギャップのタイミングを含む、段階とをさらに備え得る。第１の方法は、一組の測定ギャップ中にＰＲＳを測定することによって取得されたＰＲＳの到着の時間差の測定結果を送信する段階をさらに備え得る。
【０００６】
開示の別の態様によれば、第１ネットワークのサービングセルによって、ユーザ機器（ＵＥ）へ、第２ネットワークの複数の近隣セルから受信されたＰＲＳの到着の時間差をＵＥで測定するための支援データへ送信する段階と、第１近隣セルのＳＦＮタイミングをＵＥで決定するべく、サービングセルによって、複数の近隣セルの第１近隣セルのＭＩＢを復号するための第１ギャップパターン、または、第１近隣セルのＳＦＮオフセットを送信する段階とを備え得る、ＯＴＤＯＡ測位のための第２の方法が提供される。
【０００７】
任意選択で、第２の方法の実施形態は、サービングセルによって、第１近隣セルのＭＩＢを復号するための測定ギャップについての復号要求を受信する段階であって、復号要求は、測定ギャップのタイミングを指定することなく、第１近隣セルのアイデンティティを含む、段階をさらに含み得る。任意選択で、前述の態様のいずれかにおいて、第１ギャップパターンは、第１近隣セルのＭＩＢ送信に一致する測定ギャップを含む。任意選択で、および、代替的に、前述の態様のいずれかにおいて、第１ギャップパターンは、第１近隣セルのＭＩＢ送信期間より長い時間長を有する測定ギャップを含む。
【０００８】
任意選択で、前述の態様のいずれかにおいて、第２の方法は、サービングセルによって、ＰＲＳを測定するための一組の測定ギャップについての測定要求を受信する段階であって、測定要求は、複数の近隣セルのうち１または複数についてのＰＲＳ測位機会に一致する一組の測定ギャップのタイミングを含む、段階と、サービングセルによって、一組の測定ギャップについての測定要求を受信したことに応答して、要求された一組の測定ギャップを含む第２ギャップパターンを送信する段階と、サービングセルによって、ＰＲＳの到着の時間差の測定結果をＵＥから受信する段階とをさらに備え得る。第１近隣セルのＳＦＮオフセットは、剰余に従って定義され、例えば、第１近隣セルのＳＦＮオフセットは、定義されたモジュロ１０２４であり得る。
【０００９】
本開示のさらなる態様によれば、ＯＴＤＯＡ測位のためのＵＥが提供される。ＵＥは、命令を含むメモリストレージ、および、メモリと通信する１または複数のプロセッサとを含み得る。１または複数のプロセッサは、第２ネットワークの複数の近隣セルから受信されたＰＲＳの到着の時間差を測定するために、第１ネットワークの支援データのサービングセルから受信することであって、サービングセルから、複数の近隣セルの第１近隣セルのＭＩＢを復号するためのギャップパターン、または、第１近隣セルのＳＦＮオフセットを受信し、第１近隣セルのＭＩＢを復号するためのギャップパターン、または第１近隣セルのＳＦＮオフセットに基づいて第１近隣セルのＳＦＮタイミングを決定することを行うために、命令を実行し得る。
【００１０】
任意選択で、ＵＥの実施形態において、１または複数のプロセッサは、第１近隣セルのＭＩＢを復号するために、測定ギャップについての復号要求を送信するための命令を実行し得て、復号要求は、測定ギャップのタイミングを指定することなく、第１近隣セルのアイデンティティを含む。ギャップパターンは、第１近隣セルのＭＩＢ送信に一致する測定ギャップを含み得る。任意選択で、および、代替的に、前述の態様のいずれかにおいて、ギャップパターンは、第１近隣セルのＭＩＢ送信期間より長い時間長を有する測定ギャップを含み得る。
【００１１】
任意選択で、前述の態様のいずれかにおいて、１または複数のプロセッサは、第１近隣セルのＳＦＮタイミング、および支援データに基づいて、複数の近隣セルのうち１または複数についてのＰＲＳ測位機会のタイミングを決定すること、および、ＰＲＳを測定するための一組の測定ギャップについての測定要求を送信することであって、測定要求は、複数の近隣セルのうち１または複数についてのＰＲＳ測位機会に一致する一組の測定ギャップのタイミングを含む、ことを行うために、命令を実行し得る。前述の態様のいずれかにおいて、１または複数のプロセッサは、一組の測定ギャップ中にＰＲＳを測定することによって取得されるＰＲＳの到着の時間差の測定結果を送信するために、命令を実行し得る。第１ネットワークは、ＮＲネットワークであり得て、第２ネットワークは、ＬＴＥネットワークであり得る。
【図面の簡単な説明】
【００１２】
例として示される本開示の様々な実施形態について、以下の図面を参照して詳細に説明する。同様の参照番号は同様の構成要素を参照する。
【００１３】
【図１】ロングタームエボリューション（ＬＴＥ）ネットワークおよび新無線（ＮＲ）ネットワークを含む例示的な通信ネットワークを示す。
【００１４】
【図２】本開示の実施形態に係る例示的な測位参照信号（ＰＲＳ）構成を示す。
【００１５】
【図３】本開示の実施形態に係る参照信号時間差（ＲＳＴＤ）測定プロセスの例を示す。
【００１６】
【図４】本開示の実施形態に係る例示的な観測到着時間差（ＯＴＤＯＡ）測位プロセスのフローチャートを示す。
【００１７】
【図５】本開示の実施形態に係る別の例示的なＯＴＤＯＡ測位プロセスのフローチャートを示す。
【００１８】
【図６】本開示の実施形態に係るユーザ機器（ＵＥ）の例示的なブロック図を示す。
【００１９】
【図７】本開示の実施形態に係る基地局の例示的なブロック図を示す。
【発明を実施するための形態】
【００２０】
本開示の態様は、無線通信ネットワークにおける観測到着時間差（ＯＴＤＯＡ）測位のためのシステムおよび方法を説明する。より具体的には、本開示は、ターゲットデバイスの位置を決定するために、ＯＴＤＯＡ測位プロセス中に、近隣セルのシステムフレーム番号（ＳＦＮ）を取得するための技法を説明する。近隣セルは、ＯＴＤＯＡ測位をサポートするよう構成される第１無線ネットワークに関連付けられ得て、一方、ターゲットデバイスは、ＯＴＤＯＡ測位をサポートしない第２無線ネットワークに関連付けられ得る。
【００２１】
ＯＴＤＯＡ測位プロセス中に、ロケーションサーバは、第２無線ネットワークを介してターゲットデバイスに測位支援データを提供し得る。測位支援データは、第１無線ネットワークに属しターゲットデバイスに隣接する１または複数の近隣セルの識別情報を含み得る。さらに、支援データは、それぞれの近隣セルのＳＦＮタイミングに対して定義されている近隣セルの各々の測位参照信号（ＰＲＳ）タイミングを含み得て、一方、各近隣セルのＳＦＮタイミングは、列挙された近隣セルのメンバーである参照セルに対して指定され得る。本明細書において説明される技法に基づいて、列挙された近隣セルの１つのＳＦＮタイミングが取得され得て、従って、ＰＲＳのタイミングが決定され得る。参照セルのＳＦＮタイミングを決定することは、最初に参照セルとは異なる近隣セルのＳＦＮタイミングを決定し、次に、近隣セルのＳＦＮタイミングから、支援データに基づいて参照セルのＳＦＮタイミングを推定することを含み得る。
【００２２】
図１は、ロングタームエボリューション（ＬＴＥ）ネットワーク１０１および新無線（ＮＲ）ネットワーク１０２を含む例示的な通信ネットワーク１００を示す。ＬＴＥネットワーク１０１およびＮＲネットワーク１０２は、通信ネットワーク１００において共存する。一例において、ＬＴＥネットワーク１０１は、ＬＴＥコアネットワーク１２０、および、ＬＴＥコアネットワーク１２０に接続された、ｅＮｏｄｅＢ基地局１３１−１３３などの複数のｅＮｏｄｅＢ基地局を含み得る。ＮＲネットワーク１０２は、ＮＲコアネットワーク１５０、および、ｇＮＢ基地局１６０などの複数のｇＮＢ基地局を含み得る。加えて、通信ネットワーク１００は、ＬＴＥコアネットワーク１２０およびＮＲコアネットワーク１５０に接続され得るロケーションサーバ１１０を含む。
【００２３】
この例示的な実施形態によれば、ＬＴＥネットワーク１０１は、第３世代パートナーシッププロジェクト（３ＧＰＰ）ＬＴＥ規格に従うネットワークであり得て、一方、ＮＲネットワーク１０２は、３ＧＰＰ  ＮＲ規格に従うネットワークであり得る。ＬＴＥネットワーク１０１およびＮＲネットワーク１０２は、図１において例として使用されるが、本開示はＬＴＥネットワークおよびＮＲネットワークに限定されない。本明細書において説明される技法は、他の通信規格に従い得る他のタイプの無線通信ネットワークにも適用されて互いに共存し得る。
【００２４】
ロケーションサーバ１１０は、ＬＴＥコアネットワーク１２０またはＮＲコアネットワーク１５０のいずれかの一部としてデプロイされ得る、または、ＬＴＥコアネットワーク１２０およびＮＲコアネットワーク１５０に従属し得る。しかしながら、ロケーションサーバ１１０は、ＬＴＥコアネットワーク１２０およびＮＲコアネットワーク１５０の両方に関連付けられ得る。一例として、ロケーションサーバ１１０は、ＬＴＥ規格において定義されるような、進化型サービングモバイルロケーションセンター（Ｅ−ＳＭＬＣ）の機能を実行し、ＬＴＥコアネットワーク１２０にデプロイされる。別の例において、ロケーションサーバ１１０は、ＮＲ規格において定義されているような位置管理機能（ＬＭＦ）、および、Ｅ−ＳＭＬＣの機能を実行し、ＮＲコアネットワーク１５０にデプロイされる。
【００２５】
ｅＮｏｄｅＢ基地局１３１−１３３は、３ＧＰＰ  ＬＴＥ規格において指定されるｅＮｏｄｅＢノードを実装する基地局であり得て、一方、ｇＮＢ基地局１６０は、３ＧＰＰ  ＮＲ規格において指定されるｇＮＢノードを実装する基地局であり得る。各基地局１３１−１３３または１６０は、セルと称される地理的エリアをカバーするために、特定の方向へ無線信号を送信し得る。セルには、無線通信ネットワーク１００においてセルを識別し得るセルアイデンティティが割り当てられ得る。図１において、セル１４１−１４３はそれぞれ、ｅＮｏｄｅＢ基地局１３１−１３３によって形成され、一方、セル１６１はｇＮＢ基地局１６０によって形成される。基地局からの信号の送信または受信は、それぞれの基地局に関連するセルからの信号の送信または受信と呼ばれ得る。
【００２６】
図１に示されるように、通信ネットワークはユーザ機器（ＵＥ）１７０を含み得る。ＵＥ１７０は、携帯電話、ラップトップコンピュータ、車載デバイスおよび同様のものなど、通信ネットワーク１００と無線通信可能な任意のデバイスであり得る。図１の例において、ＵＥ１７０は、ＬＴＥネットワーク１０１およびＮＲネットワーク１０２上で動作できる。従って、ＵＥ１７０は、ＬＴＥ規格およびＮＲ規格に従って信号処理を実行するよう構成される回路を含む。一例において、ＮＲネットワーク１０２およびＬＴＥネットワーク１０１は、異なる周波数帯で動作するよう構成される。例えば、ｇＮＢ基地局１６０は、ミリメートル波帯で動作し、一方、ｅＮｏｄｅＢ基地局１３１−１３３は、より低い周波数の周波数帯で動作する。従って、ＵＥ１７０は、それぞれ異なる周波数で動作するよう構成される送受信機を含み得る。
【００２７】
図１の例において、ＵＥ１７０は、ｇＮＢ基地局１６０に無線接続される。例えば、ＵＥ１７０は、ＵＥ１７０とｇＮＢ基地局１６０との間で無線リソース制御（ＲＲＣ）接続を維持する接続モードで動作し得る。代替的に、ＵＥ１７０は、アイドルモードで動作し得るが、ｇＮＢ基地局１６０から送信される信号をモニタリングする。図１に示されるように、ＵＥ１７０は、セル１４１−１４３および１６１のカバレッジ内である。ＵＥ１７０がｇＮＢ基地局１６０に接続され、ｇＮＢ１６０によってサービスを提供される用意ができたとき、セル１６１はＵＥ１７０のサービングセルと称され、一方、他のセル１４１−１４３は、ＵＥ１７０の近隣セルと称される。当然、ＵＥ１７０をカバーする複数の近隣セルが存在し得るが、図１には示されていない。
【００２８】
一例において、ダウンリンク測位方式であるＯＴＤＯＡ測位は、ＵＥ１７０を見つけるために使用される。ＯＴＤＯＡ測位において、ターゲットデバイスは、サービングセルおよび／または近隣セルを含み得る複数のセルからＰＲＳを測定し、参照セルと他のセルとの間のＰＲＳの到着の時間差を決定する。例えば、サービングセルは、ＰＲＳの到着の時間差を決定するための時間基準を提供する参照セルとして使用され得る。このプロセスは、参照信号時間差（ＲＳＴＤ）測定プロセスと称される。一対のセルの間の差は、双曲線を決定し得て、少なくとも２つの双曲線の交差点は、ターゲットデバイスの位置を決定し得る。測定されたセルの基地局の位置は、決定のために使用され得る。
【００２９】
図１の例において、ＬＴＥネットワーク１０１は、ＯＴＤＯＡ測位をサポートするよう構成され、一方、ＮＲネットワーク１０２は、ＯＴＤＯＡ測位をサポートしない。ＲＳＴＤ測定を容易にするべく、ＬＴＥネットワーク１０１のｅＮｏｄｅＢ基地局１３１−１３３がＰＲＳを定期的に送信するよう構成される。測位機会と称されるＰＲＳの送信は、ＰＲＳ構成に基づき得る。ＰＲＳ構成は、それぞれのＰＲＳを送信するそれぞれの基地局のＳＦＮに対して、ＰＲＳ測位機会がいつ発生するかを指定する。
【００３０】
加えて、ＲＳＴＤ測定を容易にするべく、ロケーションサーバ１１０は、支援データをＵＥ１７０へ提供し、ＲＳＴＤ測定結果をＵＥ１７０から受信し、それに従ってＵＥ１７０の位置を計算するよう構成され得る。具体的には、一例において、ロケーションサーバ１１０は、例えば、３ＧＰＰ規格において指定されるＬＴＥ測位プロトコルＡ（ＬＰＰａ）を使用して、ｅＮｏｄｅＢ基地局１３１−１３３と通信し得る。ロケーションサーバ１１０は、ＬＰＰａメッセージを交換することによって、ｅＮｏｄｅＢ基地局１３１−１３３から情報を収集し得る。例えば、収集された情報は、近隣セル１４１−１４３に対応する、ＰＲＳ構成、ＳＦＮタイミング情報、フレームタイミング情報、セル識別情報、アンテナ座標を含み得る。ロケーションサーバ１１０はさらに、収集されたデータ（または、他のソースからの情報）に基づいて支援データを生成し、支援データをＵＥ１７０に提供し得る。一例において、３ＧＰＰ規格において指定されるＬＴＥ測位プロトコル（ＬＰＰ）を使用して、支援データはＵＥ１７０へ送信される。支援データは、ＰＲＳ構成、ＳＦＮタイミング情報、フレームタイミング情報、および、近隣セル１４１−１４３のセルアイデンティティを含み得る。
【００３１】
ＵＥ１７０はｅＮｏｄｅＢ基地局１３１に接続されると想定すると、ＵＥ１７０は典型的には、支援データに基づいて、近隣セル１４１−１４３のＰＲＳ測位機会のタイミングを決定し、従って、ＰＲＳ測位機会中にＰＲＳ送信を捕捉してＲＳＴＤ測定を実行し得る。例えば、支援データにおいて、サービングセル１４１は参照セルとして使用され得て、他の近隣セル１４２−１４３のＳＦＮタイミングおよびフレームタイミングが、この参照セル１４１に対して指定され得る。フレームタイミングは、フレームが順次送信される時点の１つを指し得る。ＳＦＮタイミングは、特定のＳＦＮを有するフレームが送信される時点の１つを指し得る。例として、参照セル１４１に対する近隣セルのフレームタイミングオフセットは、支援データにおいて提供され得て、対応するＳＦＮタイミング情報は、参照セル１４１のＳＦＮに対するＳＦＮオフセットの形式で提供され得る。代替例において、サービングセル１４１と近隣セル１４２−１４とのフレーム境界は同期され得る。このことは、フレームタイミングオフセットが０に等しいことを意味する。従って、支援データは、フレームタイミングオフセット情報を含まないことがあり得るが、ＳＦＮオフセット情報を含む。
【００３２】
ＵＥ１７０は、ｅＮｏｄｅＢ基地局１３１に接続されると想定されるので、ＵＥ１７０は、そのサービングセル１４１のＳＦＮタイミング（サービングセル１４１のフレームタイミング、および、サービングセルから受信される各フレームのＳＦＮ）を認識する。従って、ＵＥ１７０は、支援データに基づいて、近隣セル１４２−１４３のフレームタイミングおよびＳＦＮタイミングを決定することが可能であり得る。
【００３３】
上記のように、図１の例において、ＵＥ１７０は、ＯＴＤＯＡ測位をサポートしないＮＲネットワーク１０２に接続され、したがって、ＵＥ１７０を見つけるために上記のＯＴＤＯＡ測位を容易に実行できない。具体的には、ｇＮＢ基地局１６０は、構成に起因して、ＰＲＳを送信しないことがあり得る。加えて、ロケーションサーバ１１０は、ＵＥ１７０のサービングセル１６１についての情報を収集できず、その結果、ＯＴＤＯＡ測定についての支援データにおいて列挙されるセルの１つとしてサービングセル１６１を含まない。しかしながら、例えばＬＰＰメッセージを使用することによって、ＮＲコアネットワーク１５０およびｇＮＢ基地局１６０を通じて、支援データはなおＵＥ１７０に送信され得る。支援データの送信は、ｇＮＢ基地局１６０に対して透過的であり得る。例えば、支援データは、非アクセス層（ＮＡＳ）プロトコルのシグナリングとして送信され得る。近隣セル１４１−１４３の１つは、サービングセルの代わりに、支援データにおける参照セルとして使用され得る。
【００３４】
本開示の態様によれば、測位支援データに含まれないサービングセルにＵＥ１７０が接続される上の状況下において、ＵＥ１７０は、支援データに含まれる近隣セルの少なくとも１つのＳＦＮタイミングを取得し得る。近隣セルの少なくとも１つは、支援データにおいて指定される参照セルであり得る、または、参照セル以外の近隣セルであり得る。一例において、ＵＥ１７０は、ＳＦＮ情報を取得するために近隣セルのＭＩＢを読み取り得る。例えば、ＵＥ１７０は、測定ギャップの要求をサービングセル１６１へ送信し得て、測定ギャップ中に、支援データにおいて列挙される近隣セルの１つのＭＩＢを復号し得る。別の例において、ｇＮＢ１６０は、支援データにおいて列挙される近隣セルのＳＦＮオフセットおよびフレームタイミングオフセットを、ＵＥ１７０からの要求への応答として、ＵＥ１７０に提供し得る。その結果、ＯＴＤＯＡ測位をサポートしないネットワークに接続されているＵＥ１７０の位置が決定され得る。
【００３５】
様々な例において、近隣セルのＳＦＮタイミングは、近隣セルの、サービングセル１６１に対するフレームタイミングオフセット（または、換言すれば、近隣セルとサービングセル１６１との間のフレームタイミング差）およびＳＦＮの組み合わせとして表され得る。従って、近隣セルのＳＦＮタイミングの取得は、近隣セルのフレームタイミングオフセットおよびＳＦＮの取得と等価である。図１の例では、支援データにおいて、３つの近隣セル１４１−１４３が近隣セルとして列挙されているが、他の例では、支援データにおいて列挙される近隣セルの数は３より大きいことがあり得て、例えば、１０、２０、または、２０より大きい数であり得る。
【００３６】
図２は、本開示の実施形態に係る例示的なＰＲＳ構成２００を示す。ＳＦＮ＝０であるフレームの第１サブフレームから開始する一連のサブフレーム２０１が図２に示される。ＰＲＳ測位機会２１０ａ−２１０ｃは、一連のサブフレーム２０１の間で定期的に発生する。時間領域におけるＰＲＳ構成２００は、３つのパラメータによって定義され得る。第１パラメータ２１０は、ＰＲＳを保持する連続サブフレームの数を指すＰＲＳ測位機会である。例えば、ＰＲＳ測位機会２１０ａ、２１０ｂまたは２１０ｃの各々は、１、２、４または６個のサブフレームを含み得る。第２パラメータ２２０はＰＲＳ送信期間２２０である。例えば、ＰＲＳ送信期間は、１６０、３２０、６４０または１２８０サブフレームにわたって続き得る。第３パラメータは、ＳＦＮ＝０の第１フレームが開始してから、第１ＰＲＳ測位機会２１０ａまでのサブフレームの数を指すＰＲＳサブフレームオフセットである。示されるように、一連のサブフレームのＳＦＮタイミングが認識されるとき、ＰＲＳ測位機会タイミングは、ＰＲＳ構成に基づいて決定され得る。
【００３７】
図３は、本開示の実施形態に係るＲＳＴＤ測定プロセス３００の例を示す。プロセス３００中に、近隣セルのＭＩＢを読み取ることによって近隣セルのＳＦＮが取得される。図３の例において、ＵＥ１７０は、ＮＲサービングセル１６１に接続され、ＬＴＥ近隣セル１４１は、ロケーションサーバ１１０によって提供される支援データにおける参照セルとして使用される。プロセス３００は、近隣セル１４１のＳＦＮおよび近隣セル１４１のフレームタイミングを取得するために実行され得る。
【００３８】
ＬＴＥ近隣セル１４１、ＮＲサービングセル１６１、およびＵＥ１７０に対応する３つのタイムライン３１０−３３０が、図３においてそれぞれ示される。第１タイムライン３１０は、ＭＩＢを保持する一連のサブフレーム３０１−３０６を含む。サブフレーム３０１−３０６の各々は、近隣セル１４１から送信された一連の連続フレームの１つの第１サブフレームであり得る。したがって、ＭＩＢは、１フレームの送信期間を有する。各ＭＩＢは、ＳＦＮ情報を保持し得て、ＭＩＢの復号により、ＭＩＢを保持するそれぞれのフレームのＳＦＮが取得され得る。各サブフレーム３０１−３０６はまた、主同期信号（ＰＳＳ）および副同期信号（ＳＳＳ）などの、ＳＦＮ情報の前に送信された１または複数の同期シーケンスを保持し得る。従って、ＵＥ１７０はそれらの同期シーケンスを読み取ることによって、近隣セル１４１のフレームタイミングを取得し得る。加えて、第１タイムライン３１０はまた、一連のＰＲＳ測位機会３１１−３１２を示す。ＰＲＳ測位機会３１１−３１２のＰＲＳは、ＰＲＳ構成に従って、近隣セル１４１から送信される。
【００３９】
第２タイムライン３２０は、複数の測定ギャップ３２１−３２３を含む。測定ギャップは、周波数間測定を実行するよう構成される期間を指す。例えば、ＵＥは、第１キャリア周波数で動作するサービングセルに接続され、第２キャリア周波数で動作する近隣セルから受信された信号の測定（ＲＳＴＤ測定など）を実行する。ＵＥは、サービングセルに接続されたＲＲＣを通じて、１または複数の測定ギャップの要求を送信し得る。任意選択で、要求において、測定ギャップのタイミングおよび時間長が指定され得る。要求への応答として、サービングセルは、ＵＥのために測定ギャップを構成して測定ギャップパターンを返し得る。例えば、測定ギャップパターンは、各々が開始時刻および時間長を有する１または複数の測定ギャップを含み得る。測定ギャップ中に、アップリンクまたはダウンリンクデータ送信はＵＥのためにスケジューリングされない。ＵＥは、周波数間測定を実行するべくサービングセル周波数から近隣セル周波数に切り替わり、その後、サービングセルに再び切り替わり得る。測定ギャップの時間長は、異なるキャリア周波数間の切り替えの時間、および、測定を実行するための時間を含み得る。
【００４０】
第１の例において、ＮＲネットワーク１０２のサービングセル１６１は、ＬＴＥネットワーク１０１の近隣セル１４１のフレームタイミングを認識する。例えば、ＮＲネットワーク１０２の構成の一部として、近隣セル１４１のフレームタイミングが、サービングセル１６１に対するフレームタイミングオフセットの形式でサービングセル１６１に提供される。従って、近隣セル１４１のＭＩＢを読み取るために測定ギャップを要求するとき、ＵＥ１７０は、測定ギャップの目的（ＭＩＢの読み取り）を指定し得るが、測定ギャップの特定の時間は指定しない。サービングセル１６１は、近隣セル１４１のＭＩＢタイミング（フレームタイミング）を認識し、従って、図３の例におけるサブフレーム３０２など、ＭＩＢの送信に一致する測定ギャップ３２１をスケジューリングし得る。一例において、測定ギャップ３２１は、約２ｍｓ続く。代替例において、測定ギャップ３２１は、他の長さであり得る。
【００４１】
第２の例において、サービングセル１６１は、近隣セル１４１のフレームタイミングを知らない。この場合、測定ギャップ３２１より長い測定ギャップ３２３が構成され得る。例えば、測定ギャップ３２３は、ＵＥ１７０がフレームタイミングを認識することなく近隣セル１４１のＭＩＢを復号するために適切な時間長を有し得る。一例において、測定ギャップ３２３は、フレームより長い時間長を有する。例えば、タイムライン３１０のフレームは、１０ｍｓの時間長を有し、測定ギャップ３２３は、約１１ｍｓ、または、１１ｍｓより長く構成される。そのような構成において、ＭＩＢを保持する少なくとも１つのサブフレームが、測定ギャップ３２３の範囲内で捕捉され得る。代替例において、１より多くの測定ギャップ３２１または３２３が構成され得る。例えば、近隣セルの信号品質が低いとき、ＭＩＢの復号は、１回より多く試行され得る。１より多くの測定ギャップのタイミングは、ＭＩＢの異なる送信インスタンスを組み合わせるなどの受信機の挙動を容易にし得て、例えば、受信機が劣悪な無線条件を克服することを可能にする。
【００４２】
測定ギャップ３２２は、ＲＳＴＤ測定のために構成され得る。例えば、近隣セル１４１のＳＦＮおよびフレームタイミングが取得された後に、ＵＥ１７０は、ロケーションサーバ１１０からの支援データに基づいて、近隣セル１４１−１４３のＰＲＳ測位機会のタイミングを決定し得る。従って、ＵＥ１７０は、第２ギャップ要求をサービングセル１６１へ送信し得て、近隣セル１４１−１４３のＰＲＳ測位機会に一致する１または複数の測定ギャップを含むギャップパターンを指定する。
【００４３】
一例において、近隣セル１４１−１４３は、同一周波数で動作し、近隣セル１４１−１４３のフレームタイミングが同期される。加えて、近隣セル１４１−１４３のＰＲＳ測位機会が時間的に揃う（同一のサブフレーム中に送信される）ような方式で近隣セル１４１−１４３のＰＲＳ構成が構成される。この場合、３つの近隣セル１４１−１４３からのＰＲＳに対してＲＳＴＤ測定を実行するために、１つの測定ギャップ３２２が使用され得る。一例において、測定ギャップ３２２の時間長は、異なるキャリア周波数間の切り替えに使用される時間に加えて、測定対象のＰＲＳ測位機会の時間長に基づいて決定され得る。
【００４４】
別の例において、近隣セル１４１−１４３のＰＲＳ測位機会は、例えば、ＰＲＳ構成または近隣セル１４１−１４３間の非同期に起因して、異なる時間に発生し得る。または、近隣セル１４１−１４３は、ＲＳＴＤ測定が異なるキャリア周波数で別に実行されることを要求し得る異なるキャリア周波数で動作し得る。従って、複数の測定ギャップがＲＳＴＤ測定に構成され得る。
【００４５】
示されるように、プロセス３００は、複数の段階３４１−３４４を含む。段階３４１において、ＵＥ１７０は、近隣セル１４１のＭＩＢを復号するべく、第１測定ギャップのための第１ギャップ要求（復号要求とも称される）を送信する。第１ギャップ要求は、測定ギャップのタイミングを含まないことがあり得る。第１ギャップ要求への応答として、サービングセル１６１が近隣セル１４１のフレームタイミングを認識しているかどうかに応じて、測定ギャップ３２１または３２３はサービングセル１６１によって構成され得る。段階３４２において、ＵＥ１７０は、ＳＦＮを取得するために、測定ギャップ３２１中に、サブフレーム３０２に保持されるＭＩＢを復号する、または、測定ギャップ３２３中にサブフレームに保持されるＭＩＢを復号する。同時に、サブフレームに保持される同期シーケンスに基づいて、ＭＩＢの復号前に、近隣セル１４１のフレームタイミングが取得され得る。例えば、ＵＥ１７０は最初に、サブフレーム３０２のタイミングを取得するために、サブフレーム３０２における同期シーケンスを読み取り得て、その後、サブフレーム３０２のＭＩＢを読み取り得る。
【００４６】
段階３４３において、ＵＥ１７０は、ＲＳＴＤ測定のための第２測定ギャップについての第２ギャップ要求（測定要求とも称される）を送信する。従って、近隣セル１４１−１４３のＰＲＳ測位機会が時間的に揃っていて、同一のキャリア周波数上にあると想定すると、近隣セル１４１−１４３のＰＲＳ測位機会のタイミングと一致する測定ギャップ３２２がスケジューリングされ得る。段階３４４において、近隣セル１４１−１４３からのＰＲＳが受信および測定され得る。それに従って、ＰＲＳの到着時間差が取得され得る。支援データが３つより多くの近隣セルを含む例において、ＲＳＴＤ測定は、列挙された近隣セル全てのうち、一部のみに対して実行され得る。例えば、ＵＥ１７０は、列挙された近隣セル全部のうち一部のＰＲＳ測位機会に一致する測定ギャップを含む第２ギャップ要求を送信し得る。
【００４７】
図４は、本開示の実施形態に係る例示的なＯＴＤＯＡ測位プロセス４００のフローチャートを示す。図１を参照すると、そのようなプロセス４００は、ＵＥ１７０を見つけるために、無線通信ネットワーク１００において実行され得る。プロセス４００の異なる段階に対応するメッセージが、ＵＥ１７０、ｇＮＢ基地局１６０、ｅＮｏｄｅＢ基地局１３１−１３３およびロケーションサーバ１１０の間で送信されることが示されている。特に、プロセス４００中に、ＵＥ１７０は、サービングセル１６１に測定ギャップを要求し、近隣セル１４１のＳＦＮを取得するために近隣セル１４１のＭＩＢを読み取る。
【００４８】
段階４１０において、支援データおよびＲＳＴＤ測定結果の要求は、サービングセル１６１を通じて、ロケーションサーバ１１０からＵＥ１７０へ送信され得る。一例において、ＬＰＰメッセージが、支援データの送信に使用される。支援データは、近隣セルのリスト、例えば、近隣セル１４１−１４３を含み得る。近隣セル１４１−１４３の１つは、参照セル、例えば、近隣セル１４１として使用される。支援データはまた、参照セル１４１に対する近隣セル１４２−１４３のＳＦＮオフセットおよび／またはフレームタイミングオフセットを含み得る。支援データはさらに、各近隣セル１４１−１４３のＰＲＳ構成を含み得る。支援データは、ＲＳＴＤ測定に有用な他の情報を含み得る。
【００４９】
段階４１２において、例えば、ＲＲＣメッセージを送信することによって、ＭＩＢを読み取るための測定ギャップの第１要求がＵＥ１７０からｇＮＢ基地局１６０へ送信され得る。ＵＥ１７０は近隣セル１４１−１４３のフレームタイミングを知らないので、要求は、測定ギャップがいつ発生すると想定されるかを指定しないことがあり得る。しかしながら、要求は、ＭＩＢを読み取る目的を指定し、参照セル１４１のアイデンティティを含み得る。支援データにおいて列挙される近隣セルのいずれか１つのＳＦＮを取得することは、各近隣セルのＳＦＮタイミングおよびＰＲＳ測位機会タイミングを決定するのに十分であることに留意すべきである。従って、ＲＳＴＤ測定を実行するべく、要求は、参照セル１４１以外の近隣セル１４１−１４３のいずれか１つのアイデンティティを含み得る。
【００５０】
段階４１４において、第１ギャップパターンは、例えばＲＲＣメッセージを送信することによって、ｇＮＢ基地局１６０からＵＥ１７０へ送信され得る。第１ギャップパターンは測定ギャップの時間長および開始時刻などの測定ギャップの構成情報を含み得る。第１のシナリオにおいて、ｇＮＢ基地局１６０は、参照セル１４１のフレームタイミングを知っていることがあり得る。従って、ｇＮＢ基地局１６０は、ＭＩＢを読み取るための測定ギャップがいつスケジューリングされるかを決定し得る。ＭＩＢの送信に一致する測定ギャップが決定され得る。第２のシナリオにおいて、ｇＮＢ基地局１６０は、参照セル１４１のフレームタイミングを認識しないことがあり得る。従って、ＭＩＢ送信期間より大きい時間長を有する測定ギャップが構成され得る。結果として生じる測定ギャップは、ＵＥ１７０がＭＩＢを復号するために十分な時間を提供する。
【００５１】
段階４１６において、参照セル１４１のＭＩＢは、第１ギャップパターンにおいて指定された測定ギャップ中にＵＥ１７０によって読み取られ得る。ＵＥ１７０は、ＳＦＮを取得するためにＭＩＢを復号する。同時に、ＭＩＢを保持するサブフレームに保持される同期シーケンスに従って、参照セル１４１のフレームタイミングが取得され得る。代替的に、ｇＮＢ基地局１６０が参照セル１４１のフレームタイミングを認識しているとき、参照セル１４１のフレームタイミングが、ｇＮＢ基地局１６０から参照セル１４１のフレームタイミングオフセットを受信することによって取得され得る。支援データ、ならびに、上で取得されたフレームタイミングおよびＳＦＮに基づいて、ＵＥ１７０は、近隣セル１４１−１４３のＰＲＳ測位機会のタイミングを決定し得る。
【００５２】
段階４１８において、例えば、ＲＲＣメッセージを送信することによって、ＲＳＴＤ測定についての測定ギャップの第２要求が、ＵＥ１７０からｇＮＢ基地局１６０へ送信され得る。要求は、段階４１６において取得されるＰＲＳ測位機会タイミングに一致する測定ギャップのタイミングを含み得る。近隣セル１４１−１４３のＰＲＳ測位機会が時間的に揃っているとき、ＲＳＴＤ測定のために１つの測定ギャップが要求され得る。代替的に、異なる時間において近隣セル１４１−１４３のＰＲＳ測位機会が生じるとき、または、近隣セル１４１−１４３が異なるキャリア周波数で動作するとき、１より多くの測定ギャップが要求され得る。加えて、いくつかの例において、測定ギャップの時間長は、それぞれのＰＲＳ測位機会の時間長に従って指定され得る。段階４２０において、要求された測定ギャップがスケジューリングされたことをＵＥ１７０に通知するべく、第２ギャップパターンがｇＮＢ基地局１６０からＵＥ１７０へ送信され得る。例えば、ＲＲＣメッセージは、第２ギャップパターンの送信に使用され得る。ギャップパターンは、第２ギャップ要求において保持される情報に基づいて決定され得る。
【００５３】
段階４２２において、複数の近隣セル１４１−１４３からのＰＲＳは、第２ギャップパターンの測定ギャップ中にＵＥ１７０で受信および測定され得る。段階４２４において、ＲＳＴＤ測定結果は、近隣セル１４１−１４３からのＰＲＳの測定された到着時間に基づいて計算され得る。例えば、参照セル１４１を時間基準として使用して、参照セル１４１と他の近隣セル１４２−１４３との間のＰＲＳの到着の時間差が決定され得る。
【００５４】
段階４２６において、例えば、ＬＰＰメッセージを送信することによって、ＲＳＴＤ測定結果は、ＵＥ１７０からロケーションサーバ１１０へ送信され得る。従って、ロケーションサーバ１１０は、ＲＳＴＤ測定結果に基づいて、ＵＥ１７０の位置を推定し得る。代替例において、ＲＳＴＤ測定結果は、ロケーションサーバ１１０に送信されないことがあり得る。代わりに、ＵＥ１７０自体は、支援データに含まれる基地局位置情報を用いて、ＵＥ１７０の位置を決定するために、ＲＳＴＤ測定結果を使用し得る。
【００５５】
図５は、本開示の実施形態に係る別の例示的なＯＴＤＯＡ測位プロセス５００のフローチャートを示す。図１を参照すると、そのようなプロセス５００は、ＵＥ１７０を見つけるために、無線通信ネットワーク１００において実行され得る。同様に、プロセス５００の異なる段階に対応するメッセージは、ＵＥ１７０、ｇＮＢ基地局１６０、ｅＮｏｄｅＢ基地局１３１−１３３、およびロケーションサーバ１１０の間で送信されることが示される。プロセス４００と異なり、プロセス５００中に、ＵＥ１７０は、支援データにおいて列挙される近隣セルのＳＦＮタイミング情報をサービングセル１６１に要求し得る。
【００５６】
プロセス５００は、プロセス４００のものと同様の段階を含む。例えば、段階５１０、５１８−５２６は、段階４１０、４１８−４２６と同様である。しかしながら、段階５１２−５１６は、段階４１２−４１６と異なる。段階５１０、５１８−５２６の説明は省略されるが、段階５１２−５１６は以下で説明される。
【００５７】
段階５１２において、近隣セル１４１−１４３のＳＦＮタイミング情報の要求は、例えば、ＲＲＣメッセージを送信することによって、ＵＥ１７０からサービングセル１６１へ送信され得る。例えば、段階５１０で受信される支援データは、近隣セルのリスト、例えば、測定される近隣セル１４１−１４３を含み得る。近隣セル１４１は、参照セルとして使用され得て、他の近隣セル１４１−１４３のフレームタイミングオフセットおよびＳＦＮオフセットは、参照セル１４１に対して、支援データにおいて指定され得る。従って、要求は、参照セル１４１のアイデンティティを含み得る。
【００５８】
段階５１４において、ＳＦＮタイミング情報は、段階５１２の要求への応答として、サービングセル１６１からＵＥ１７０へ送信され得る。例えば、ｇＮＢ基地局１６０は、ＮＲネットワーク１０２の構成に起因して、近隣セル１４１−１４３のＳＦＮタイミングを知り得る。一例において、ＳＦＮタイミング情報は、サービングセル１６１のフレームタイミングおよびＳＦＮに対する、参照セル１４１のフレームタイミングオフセットおよびＳＦＮオフセットを含む。一例において、ＳＦＮタイミング情報は、ＳＦＮタイミング情報の送信に固有のＲＲＣメッセージにおいて保持される。別の例において、オンデマンドシステム情報として、近隣セルのリストがＵＥ１７０へ送信され得る。近隣セル１４１−１４３のＳＦＮタイミングは、近隣セルリストのエントリに含まれ得る。
【００５９】
一例において、ＮＲネットワーク１０２のＳＦＮは、ＬＴＥネットワーク１０１のＳＦＮより長い長さを有する。例えば、ＮＲ  ＳＦＮは、１２ビットの長さを有し得て、一方、ＬＴＥ  ＳＦＮは１０ビットの長さを有し得る。従って、ＬＴＥ  ＳＦＮとＮＲ  ＳＦＮとの間のＳＦＮオフセットは、（１０２４の剰余に対して）定義されたモジュロ１０２４であり得る。例えば、ＬＴＥネットワーク１０１とＮＲネットワーク１０２との間のＳＦＮオフセットが、以下の式を使用して計算され得る。
ＳＦＮオフセット＝（ＬＴＥ  ＳＦＮ−ＮＲ  ＳＦＮ）ｍｏｄ１０２４
ＬＴＥ  ＳＦＮおよびＮＲ  ＳＦＮは、比較されたＮＲ  ＬＴＥフレームおよびＬＴＥフレームのＳＦＮに対応する。
【００６０】
段階５１６において、ＲＳＴＤ測定に必要なギャップタイミングはＵＥ１７０で決定される。例えば、支援データおよび参照セル１４１−１４３の受信されたＳＦＮタイミング情報に基づいて、近隣セル１４１−１４３のＰＲＳ測位機会のタイミングが決定され得る。従って、測定ギャップのタイミングが決定され得る。近隣セル１４１−１４３のＰＲＳ測位機会が時間的に揃っているかどうか、または、近隣セル１４１−１４３が異なるキャリア周波数で動作するかどうかに応じて、１または複数の測定ギャップがスケジューリングされ得る。少なくとも１つのギャップのタイミングを含む測定ギャップの要求がその後送信され得る。
【００６１】
図６は、本開示の実施形態に係るＵＥ６００の例示的なブロック図を示す。ＵＥ６００は、本明細書に説明される様々な本開示の実施形態を実装するよう構成され得る。ＵＥ６００は、図６に示されるように共に結合されたプロセッサ６１０、メモリ６２０および無線周波数（ＲＦ）モジュール６３０を含み得る。異なる例において、ＵＥ６００は、携帯電話、タブレットコンピュータ、デスクトップコンピュータ、車載デバイスおよび同様のものであり得る。
【００６２】
プロセッサ６１０は、図１から図５を参照して上述されたＵＥ１７０の様々な機能を実行するよう構成され得る。例えば、プロセッサ６１０は、ロケーションサーバから支援データを受信し、それに従って、ＲＳＴＤ測定を実行してＲＳＴＤ測定結果をロケーションサーバへ報告するよう構成され得る。特に、プロセッサ６１０は、ＵＥ６００のサービングセルに測定ギャップを要求し、支援データにおける近隣セルのリストに含まれる参照セルのＳＦＮを取得するためにＭＩＢ復号プロセスを実行するよう構成され得る。代替的に、プロセッサ６１０は、参照セルのＳＦＮタイミング情報を要求するよう構成され得る。さらに、プロセッサ６１０はその後、近隣セルのＰＲＳ測位機会を決定し、それに従って、近隣セルからのＰＲＳに対してＲＳＴＤ測定を実行するために一組の測定ギャップを要求するよう構成され得る。
【００６３】
ＵＥ６００は、ＬＴＥネットワーク、５Ｇ  ＮＲネットワーク、および同様のものなど、異なるタイプの無線ネットワークで動作し得る。従って、プロセッサ６１０は、異なるタイプの無線ネットワークに対応する通信プロトコルに従って、受信された、または、送信されるデータを処理するための信号処理回路を含み得る。追加的に、プロセッサ６１０は、異なる通信プロトコルに関連する機能を実行するために、例えばメモリ６２０に記憶されるプログラム命令を実行し得る。プロセッサ６１０は、適切なハードウェア、ソフトウェア、またはそれらの組み合わせで実装され得る。例えば、プロセッサ６１０は、特定用途向け集積回路（ＡＳＩＣ）、フィールドプログラマブルゲートアレイ（ＦＰＧＡ）、および回路を含む同様のもので実装され得る。回路は、プロセッサ６１０の様々な機能を実行するよう構成され得る。
【００６４】
一例において、メモリ６２０は、プロセッサ６１０によって実行されるとき、本明細書において説明される様々な機能をプロセッサ６１０に実行させるプログラム命令を格納し得る。例えば、メモリ６２０は、本開示において説明されるようなＯＴＤＯＡ測位プロセスを実行するためのプログラム命令６２１を格納し得る。加えて、メモリ６２０は、測位支援データ６２２、ＲＳＴＤ測定結果６２３、および同様のものなど、ＯＴＤＯＡ測位プロセスに関連するデータを格納し得る。メモリ６２０は、リードオンリメモリ（ＲＯＭ）、ランダムアクセスメモリ（ＲＡＭ）、フラッシュメモリ、ソリッドステートメモリ、ハードディスクドライブおよび同様のものを含み得る。
【００６５】
ＲＦモジュール６３０は、デジタル信号をプロセッサ６１０から受信し、それに従って、アンテナ６４０を介して無線通信ネットワークにおいて信号を基地局へ送信するよう構成され得る。加えて、ＲＦモジュール６３０は、無線信号を基地局から受信し、それに従って、プロセッサ６１０へ提供されるデジタル信号を生成するよう構成され得る。ＲＦモジュール６３０は、デジタル‐アナログ／アナログ‐デジタルコンバータ（ＤＡＣ／ＡＤＣ）、周波数ダウン／アップコンバータ、フィルタ、ならびに受信および送信動作のための増幅器を含み得る。特に、ＲＦモジュール６３０は、ＬＴＥネットワーク、５Ｇ  ＮＲネットワークおよび同様のものなどの異なるタイプの無線通信ネットワークでＵＥ１７０が動作することをサポートするために、信号処理回路を含み得る。例えば、ＲＦモジュール６３０は、異なるキャリア周波数で信号を処理するために、コンバータ回路、フィルタ回路、増幅回路および同様のものを含み得る。
【００６６】
ＵＥ６００は任意選択で、入出力デバイス、追加のＣＰＵ、または信号処理回路および同様のものなどの他のコンポーネントを含み得る。従って、ＵＥ６００は、アプリケーションプログラムを実行する、および、代替的な通信プロトコルを処理するなど、他の追加の機能を実行することが可能であり得る。
【００６７】
図７は、本開示の実施形態に係る基地局７００の例示的なブロック図を示す。基地局７００は、本明細書に説明されている本開示の様々な実施形態を実装するよう構成され得る。同様に、基地局７００は、プロセッサ７１０、メモリ７２０および無線周波数（ＲＦ）モジュール７３０を含み得る。それらのコンポーネントは、図７に示されるように、共に結合される。異なる例において、基地局は、ＬＴＥネットワークにおけるｅＮｏｄｅＢ、ＮＲネットワークにおけるｇＮＢ、および同様のものなどを含み得る。
【００６８】
プロセッサ７１０は、図１から図５を参照して説明されるｇＮＢ基地局１６０の様々な機能を実行するよう構成され得る。例えば、プロセッサ７１０は、ＯＴＤＯＡ測位プロセス中に参照セルのＭＩＢを復号して参照セルのＳＦＮを取得するための測定ギャップをＵＥのためにスケジューリングするよう構成され得る。基地局７００が参照セルのフレームタイミングで構成されるとき、測定ギャップが参照セルのＭＩＢ送信に一致するような方式で測定ギャップが構成され得る。基地局７００が参照セルのフレームタイミングを認識していないとき、参照セルのＭＩＢ送信期間より長い時間長を有する測定ギャップが構成され得る。代替的には、プロセッサ７１０は、ＳＦＮオフセットおよびフレームタイミングオフセットを、ＵＥからの要求への応答として、ＵＥに提供するよう構成され得る。
【００６９】
プロセッサ７１０は、３ＧＰＰ  ＬＴＥまたは５Ｇ  ＮＲ規格において指定されるプロトコルなど、様々な通信プロトコルに従う信号処理のための信号処理回路を含み得る。プロセッサ７１０はまた、様々な通信プロトコルに従う様々な機能を実行するためのプログラム命令を実行するよう構成され得る。プロセッサ７１０は、ハードウェア、ソフトウェアまたはそれらの組み合わせで実装され得る。例えば、プロセッサ７１０は、特定用途向け集積回路（ＡＳＩＣ）、フィールドプログラマブルゲートアレイ（ＦＰＧＡ）、および回路を含む同様のもので実装され得る。回路は、プロセッサ７１０の様々な機能を実行するよう構成され得る。
【００７０】
一例において、メモリ７２０は、プロセッサ７１０によって実行されるとき、本明細書において説明される様々な機能をプロセッサ７１０に実行させるプログラム命令を格納し得る。例えば、メモリ７２０は、本開示において説明されるような測定ギャップをスケジューリングするためのプログラム命令７２１を格納し得る。加えて、メモリ７２０は、基地局７００の構成に応じて、近隣セルフレームタイミングオフセットおよび／またはＳＦＮオフセット７２２など、ＯＴＤＯＡ測位プロセスに関連するデータを格納し得る。同様に、メモリ７２０は、リードオンリメモリ（ＲＯＭ）、ランダムアクセスメモリ（ＲＡＭ）、フラッシュメモリ、ソリッドステートメモリ、ハードディスクドライブおよび同様のものを含み得る。
【００７１】
ＲＦモジュール７３０は、ＲＦモジュール６３０と同様の機能および構造を有し得る。しかしながら、ＲＦモジュール７３０は、基地局７００の性能に対してより適切な機能および構造を有し得る。例えば、ＲＦモジュール７３０は、大きいサービングエリアおよび複数のＵＥユーザのカバレッジのために、より高い送信電力を有し得る、または、より多くのダウンリンクもしくはアップリンクコンポーネントキャリアをサポートし得る。ＲＦモジュール７３０は、アンテナ７４０を介して、無線信号を受信または送信し得る。
【００７２】
特許請求の範囲において、「含む」という単語は、他の要素または段階を排除するものではなく、不定冠詞「ａ」または「ａｎ」は、複数を排除するものではない。単一プロセッサまたは他のユニットは、特許請求の範囲に記載の複数の項目の機能を果たし得る。単に特定の手段が相互に異なる従属請求項に記載されているという事実は、これらの手段の組み合わせが有利に使用されることができないということを示す、排除する、または示唆するものではない。コンピュータプログラムは、他のハードウェアと共に、または、その一部として供給される光学記憶媒体または半導体媒体などの適切な媒体に記憶または配布され得るが、インターネットまたは他の有線もしくは無線遠隔通信システムを介するなど、他の形式でも配布され得る。
【００７３】
本開示の態様は、例として示された本開示に係る特定の実施形態に関し説明されているが、当該例に対する代替、修正および変形がなされてよい。したがって、本明細書に記載される実施形態は、例示的なものであって、限定するものではないことが意図されている。以下で記載される特許請求の範囲から逸脱することなく、変更が加えられ得る。
【図１】
2022002403.tif 000003
【図２】
2022002403.tif 000004
【図３】
2022002403.tif 000005
【図４】
2022002403.tif 000006
【図５】
2022002403.tif 000007
【図６】
2022002403.tif 000008
【図７】
2022002403.tif 000009
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
観測到着時間差（ＯＴＤＯＡ）測位のための方法であって、
第１近隣セルを含む第２ネットワークの複数の近隣セルから受信された測位参照信号（ＰＲＳ）の到着の時間差を測定するための支援データを第１ネットワークのサービングセルから受信する段階であって、前記支援データは、前記第１近隣セルの前記サービングセルに対するシステムフレーム番号（ＳＦＮ）オフセットを含む、受信する段階と、
前記第１近隣セルの前記ＳＦＮオフセットに基づいて、前記第１近隣セルのＳＦＮタイミングを決定する段階と
を備え、
前記第１ネットワーク及び前記第２ネットワークは異なるタイプのネットワークに属し、前記異なるタイプのネットワークは異なる通信プロトコルに対応する方法。
【請求項２】
前記支援データはさらに、
前記複数の近隣セルのＰＲＳ構成情報、または、
前記複数の近隣セルのＰＲＳ構成情報及び前記複数の近隣セルのセルアイデンティティ情報を含む、請求項１に記載の方法。
【請求項３】
前記第１近隣セルの前記ＳＦＮタイミング、および前記支援データに基づいて、前記複数の近隣セルのうち１または複数についてのＰＲＳ測位機会のタイミングを決定する段階と、
前記ＰＲＳを測定するための一組の測定ギャップについての測定要求を送信する段階であって、前記測定要求は、前記複数の近隣セルのうち前記１または複数についての前記ＰＲＳ測位機会に一致する前記一組の測定ギャップのタイミングを含む、段階と
をさらに備える、請求項１に記載の方法。
【請求項４】
前記一組の測定ギャップ中に前記ＰＲＳを測定することによって取得される前記ＰＲＳの到着の前記時間差の測定結果を送信する段階をさらに備える、請求項３に記載の方法。
【請求項５】
前記第１ネットワークは、新無線（ＮＲ）ネットワークであり、前記第２ネットワークは、ロングタームエボリューション（ＬＴＥ）ネットワークである、請求項１から４の何れか一項に記載の方法。
【請求項６】
前記支援データは、ロケーションサーバによって提供される、請求項１から５の何れか一項に記載の方法。
【請求項７】
前記ロケーションサーバは、前記第１ネットワークと前記第２ネットワークの両方に関連付けられ、
前記ロケーションサーバは、進化型サービングモバイルロケーションセンター（Ｅ−ＳＭＬＣ）の機能を実行し、前記第２ネットワークにデプロイされる、または、
前記ロケーションサーバは、位置管理機能（ＬＭＦ）、および、Ｅ−ＳＭＬＣの機能を実行し、前記第１ネットワークにデプロイされる、請求項６に記載の方法。
【請求項８】
ユーザ機器（ＵＥ）であって、
前記ＵＥのプロセッサによって実行されると前記ＵＥに請求項１から７の何れか一項に記載の方法を実行させる命令を備えるメモリストレージを備える、ユーザ機器。
【請求項９】
装置によって実行されると前記装置に請求項１から７の何れか一項に記載の方法を実行させる命令を備えるプログラム。
【請求項１０】
観測到着時間差（ＯＴＤＯＡ）測位のための方法であって、
第１ネットワークのサービングセルによって、ユーザ機器（ＵＥ）に支援データを送信する段階であって、前記支援データは、第１近隣セルを含む第２ネットワークの複数の近隣セルから受信された測位参照信号（ＰＲＳ）の到着の時間差を測定するように構成される、送信する段階を備え、
前記支援データは、前記第１近隣セルの前記サービングセルに対するシステムフレーム番号（ＳＦＮ）オフセットを含み、
前記第１ネットワーク及び前記第２ネットワークは異なるタイプのネットワークに属し、前記異なるタイプのネットワークは異なる通信プロトコルに対応する、方法。
【請求項１１】
前記支援データはさらに、
前記複数の近隣セルのＰＲＳ構成情報、または、
前記複数の近隣セルのＰＲＳ構成情報及び前記複数の近隣セルのセルアイデンティティ情報を含む、請求項１０に記載の方法。
【請求項１２】
前記第１ネットワークは、新無線（ＮＲ）ネットワークであり、前記第２ネットワークは、ロングタームエボリューション（ＬＴＥ）ネットワークである、請求項１０または１１に記載の方法。
【請求項１３】
前記支援データは、ロケーションサーバによって提供される、請求項１０から１２の何れか一項に記載の方法。
【請求項１４】
前記ロケーションサーバは、前記第１ネットワークと前記第２ネットワークの両方に関連付けられ、
前記ロケーションサーバは、進化型サービングモバイルロケーションセンター（Ｅ−ＳＭＬＣ）の機能を実行し、前記第２ネットワークにデプロイされる、または、
前記ロケーションサーバは、位置管理機能（ＬＭＦ）、および、Ｅ−ＳＭＬＣの機能を実行し、前記第１ネットワークにデプロイされる、請求項１３に記載の方法。
【請求項１５】
アクセスノードであって、
前記アクセスノードのプロセッサによって実行されると前記アクセスノードに請求項１０から１４の何れか一項に記載の方法を実行させる命令を備えるメモリストレージを備える、アクセスノード。
【請求項１６】
装置によって実行されると前記装置に請求項１０から１４の何れか一項に記載の方法を実行させる命令を備えるプログラム。
【外国語明細書】
2022002403000001.pdf